(57)【要約】【課題】無線信号の干渉を容易に回避する。【解決手段】無線通信機能を有する端末との間で、所定の無線周波数帯を用いて、第１の時分割複信フレームを送受信する無線基地局１０１と接続された制御装置２０１において、当該無線周波数帯を用いる無線基地局３０１−１から送信される第２の時分割複信フレームのフレーム構造に基づいて、第１の時分割複信フレームの送信の開始タイミングを、第２の時分割複信フレームに干渉しないタイミングに設定し、設定した開始タイミングを示す情報を無線基地局１０１へ送信する。【選択図】図１
2009239834.tif 000002
【特許請求の範囲】
【請求項１】
無線通信機能を有する端末との間で、所定の無線周波数帯を用いて、第１の時分割複信フレームを送受信する無線基地局と接続された制御装置であって、
前記無線周波数帯と同じ無線周波数帯を用いて、当該制御装置と接続された前記無線基地局以外の無線基地局から送信される第２の時分割複信フレームのフレーム構造を管理する無線基地局管理部と、
前記第２の時分割複信フレームのフレーム構造に基づいて、前記第１の時分割複信フレームの送信の開始タイミングを、前記第２の時分割複信フレームに干渉しないタイミングに設定するタイミング設定部と、
前記開始タイミングを示す情報を前記第１の時分割複信フレームを送受信する無線基地局へ送信する信号送信部とを有する制御装置。
【請求項２】
請求項１に記載の制御装置において、
前記タイミング設定部は、前記第２の時分割複信フレーム内の下り信号の送信完了時刻を前記開始タイミングに設定することを特徴とする制御装置。
【請求項３】
請求項１または請求項２に記載の制御装置において、
前記タイミング設定部は、前記第１の時分割複信フレーム内の下り信号を格納する下りサブフレームと前記第２の時分割複信フレームの先頭とが重なる部分に下り信号を割り当てない緩衝領域を設けることを特徴とする制御装置。
【請求項４】
無線通信機能を有する端末との間で、所定の無線周波数帯を用いて、第１の時分割複信フレームを送受信する無線基地局を制御する無線基地局制御方法であって、
前記無線周波数帯と同じ無線周波数帯を用いて、当該無線基地局以外の無線基地局から送信される第２の時分割複信フレームのフレーム構造を管理する処理と、
前記フレーム構造に基づいて、前記第１の時分割複信フレームの送信の開始タイミングを、前記第２の時分割複信フレームに干渉しないタイミングに設定する処理と、
前記開始タイミングを示す情報を前記第１の時分割複信フレームを送受信する無線基地局へ送信する処理とを有する無線基地局制御方法。
【請求項５】
請求項４に記載の無線基地局制御方法において、
前記第２の時分割複信フレーム内の下り信号の送信完了時刻を前記開始タイミングに設定する処理を有することを特徴とする無線基地局制御方法。
【請求項６】
請求項４または請求項５に記載の無線基地局制御方法において、
前記第１の時分割複信フレーム内の下り信号を格納する下りサブフレームと前記第２の時分割複信フレームの先頭とが重なる部分に下り信号を割り当てない緩衝領域を設ける処理を有することを特徴とする無線基地局制御方法。
【請求項７】
無線通信機能を有する端末との間で、所定の無線周波数帯を用いて、第１の時分割複信フレームを送受信する無線基地局と接続された制御装置に、
前記無線周波数帯と同じ無線周波数帯を用いて、当該制御装置と接続された前記無線基地局以外の無線基地局から送信される第２の時分割複信フレームのフレーム構造を管理する手順と、
前記フレーム構造に基づいて、前記第１の時分割複信フレームの送信の開始タイミングを、前記第２の時分割複信フレームに干渉しないタイミングに設定する手順と、
前記開始タイミングを示す情報を前記第１の時分割複信フレームを送受信する無線基地局へ送信する手順とを実行させるプログラム。
【請求項８】
請求項７に記載のプログラムにおいて、
前記第２の時分割複信フレーム内の下り信号の送信完了時刻を前記開始タイミングに設定する手順を実行させることを特徴とするプログラム。
【請求項９】
請求項７または請求項８に記載のプログラムにおいて、
前記第１の時分割複信フレーム内の下り信号を格納する下りサブフレームと前記第２の時分割複信フレームの先頭とが重なる部分に下り信号を割り当てない緩衝領域を設ける手順を実行させることを特徴とするプログラム。
【発明の詳細な説明】
【技術分野】
【０００１】
本発明は、無線通信を行う無線基地局を制御する制御装置、無線基地局制御方法およびプログラムに関し、特に時分割複信（ＴＤＤ）フレームを用いて無線通信を行う無線基地局を制御する制御装置、無線基地局制御方法およびプログラムに関する。
【背景技術】
【０００２】
近年、無線技術を用いた無線通信が急速に普及されてきている。一方、無線通信に使用できる周波数帯域は有限なものである。そのため、無線通信を行う端末等が増えるに従い、周波数帯域の枯渇が予想される。
【０００３】
周波数帯域の枯渇が生じてしまうと、割り当て周波数が少ないシステム（例えば、ＷｉＭＡＸ技術を用いたシステム）においては、無線基地局において当該無線基地局とは異なる無線基地局にて使用されている周波数と同一の周波数を使わざるを得ない状況となってしまう。特に、時分割複信手法であるＴＤＤ（Ｔｉｍｅ  Ｄｉｖｉｓｉｏｎ  Ｄｕｐｌｅｘ）を用いて同期信号による送信タイミングが同期化されているシステムにおいて、互いに同一の周波数帯域を使用している複数の無線基地局が隣接している場合、互いの無線信号に干渉が生じてしまうおそれがある。これは、すでに配置されている無線基地局に対して、システム容量やカバレッジを増やすために新たに無線基地局を配置する場合にも同じ現象が生じてしまうおそれがある。
【０００４】
図８は、干渉が生じるおそれがある無線基地局と端末との配置の一例を示す図である。
【０００５】
図８に示すように、無線基地局１００１−１と、無線基地局１００１−２とが配置されており、無線基地局１００１−１がカバーするセル１００２−１内に端末１００３−１が存在する。また、セル１００２−１と無線基地局１００１−２がカバーするセル１００２−２とが重なる部分に端末１００３−２が存在する。
【０００６】
このとき、端末１００３−２は無線基地局１００１−２と通信を行っている。しかしながら、セル１００２−１内にも存在しているため、端末１００３−２から無線基地局１００１−２へ送信された上り信号（端末１００３−２から無線基地局１００１−２への実線）が、無線基地局１００１−１にて干渉信号（端末１００３−２から無線基地局１００１−１への破線）として受信されてしまう。これにより、端末１００３−１から送信され、無線基地局１００１−１にて受信される上り信号に、当該干渉信号が影響を与えてしまうおそれがある。
【０００７】
図９は、図８に示した配置において干渉するＴＤＤフレーム信号を示す図である。
【０００８】
図９に示すように、端末１００３−２から送信される上り信号の送信タイミングと、無線基地局１００１−１にて受信される上り信号の受信タイミングとが一致する。そのため、端末１００３−２から送信される上り信号が、端末１００３−１から送信されて無線基地局１００１−１にて受信される上り信号に干渉してしまうおそれがある。
【０００９】
図１０は、干渉が生じるおそれがある無線基地局と端末との配置の他の例を示す図である。
【００１０】
図１０に示すように、無線基地局１００１−１と、無線基地局１００１−２とが配置されており、無線基地局１００１−１がカバーするセル１００２−１と無線基地局１００１−２がカバーするセル１００２−２とが重なる部分に端末１００３−１が存在する。また、セル１００２−２内に端末１００３−２が存在する。
【００１１】
このとき、端末１００３−１は無線基地局１００１−１と通信を行っている。しかしながら、セル１００２−２内にも存在しているため、無線基地局１００１−２から端末１００３−２へ送信された下り信号（無線基地局１００１−２から端末１００３−２への実線）が、端末１００３−１にて干渉信号（無線基地局１００１−２から端末１００３−１への破線）として受信されてしまう。これにより、無線基地局１００１−１から送信され、端末１００３−１にて受信される下り信号に、当該干渉信号が影響を与えてしまうおそれがある。
【００１２】
図１１は、図１０に示した配置において干渉するＴＤＤフレーム信号を示す図である。
【００１３】
図１１に示すように、無線基地局１００１−２から送信される下り信号の送信タイミングと、端末１００３−１にて受信される下り信号の受信タイミングとが一致する。そのため、無線基地局１００１−２から送信される下り信号が、無線基地局１００１−１から送信されて端末１００３−１にて受信される下り信号に干渉してしまうおそれがある。
【００１４】
そこで、無線信号の送受信に指向性を持ったＢＦ（Beam Forming）の技術を用いて、上述したような無線信号を回避する技術が考えられている。
【００１５】
また、無線基地局と端末との間にて無線通信が行われており、当該無線通信が、他の無線基地局と他の端末との間にて行われている無線通信に干渉する場合、信号を送信する周期を互いに異なる周期に変更することにより、当該干渉を軽減する技術が考えられている（例えば、特許文献１参照。）。
【特許文献１】特開２００３−２８９５７６号公報
【発明の開示】
【発明が解決しようとする課題】
【００１６】
しかしながら、ＢＦを用いた技術においては、無線基地局に設置するアンテナ素子数が増えてしまい、そのための設置コストが高くなってしまうという問題点がある。
【００１７】
また、特許文献１に記載された技術においては、一方の無線基地局と端末との間の信号送信周期を長く設定することにより、信号送信周期が長く設定された無線基地局と端末との間においては、通信速度が下がってしまうという問題点がある。
【００１８】
本発明は、上述した課題を解決する制御装置、無線基地局制御方法およびプログラムを提供することを目的とする。
【課題を解決するための手段】
【００１９】
上記目的を達成するために本発明は、
無線通信機能を有する端末との間で、所定の無線周波数帯を用いて、第１の時分割複信フレームを送受信する無線基地局と接続された制御装置であって、
前記無線周波数帯と同じ無線周波数帯を用いて、当該制御装置と接続された前記無線基地局以外の無線基地局から送信される第２の時分割複信フレームのフレーム構造を管理する無線基地局管理部と、
前記第２の時分割複信フレームのフレーム構造に基づいて、前記第１の時分割複信フレームの送信の開始タイミングを、前記第２の時分割複信フレームに干渉しないタイミングに設定するタイミング設定部と、
前記開始タイミングを示す情報を前記第１の時分割複信フレームを送受信する無線基地局へ送信する信号送信部とを有する。
【００２０】
また、無線通信機能を有する端末との間で、所定の無線周波数帯を用いて、第１の時分割複信フレームを送受信する無線基地局を制御する無線基地局制御方法であって、
前記無線周波数帯と同じ無線周波数帯を用いて、当該無線基地局以外の無線基地局から送信される第２の時分割複信フレームのフレーム構造を管理する処理と、
前記フレーム構造に基づいて、前記第１の時分割複信フレームの送信の開始タイミングを、前記第２の時分割複信フレームに干渉しないタイミングに設定する処理と、
前記開始タイミングを示す情報を前記第１の時分割複信フレームを送受信する無線基地局へ送信する処理とを有する。
【００２１】
また、無線通信機能を有する端末との間で、所定の無線周波数帯を用いて、第１の時分割複信フレームを送受信する無線基地局と接続された制御装置に実行させるプログラムであって、
前記無線周波数帯と同じ無線周波数帯を用いて、当該制御装置と接続された前記無線基地局以外の無線基地局から送信される第２の時分割複信フレームのフレーム構造を管理する手順と、
前記フレーム構造に基づいて、前記第１の時分割複信フレームの送信の開始タイミングを、前記第２の時分割複信フレームに干渉しないタイミングに設定する手順と、
前記開始タイミングを示す情報を前記第１の時分割複信フレームを送受信する無線基地局へ送信する手順とを実行させる。
【発明の効果】
【００２２】
以上説明したように本発明においては、無線通信機能を有する端末との間で、所定の無線周波数帯を用いて、第１の時分割複信フレームを送受信する無線基地局と接続された制御装置において、第１の時分割複信フレームの送受信に用いる無線周波数帯と同じ無線周波数帯を用いて、当該制御装置と接続された第１の時分割複信フレームを送受信する無線基地局以外の無線基地局から送信される第２の時分割複信フレームのフレーム構造に基づいて、第１の時分割複信フレームの送信の開始タイミングを、第２の時分割複信フレームに干渉しないタイミングに設定し、設定した開始タイミングを示す情報を第１の時分割複信フレームを送受信する無線基地局へ送信する構成としたため、無線信号の干渉を容易に回避することができる。
【発明を実施するための最良の形態】
【００２３】
以下に、本発明の実施の形態について図面を参照して説明する。
【００２４】
図１は、本発明の制御装置の実施の一形態を示す図である。
【００２５】
本形態は図１に示すように、セル３０２−１〜３０２−３をそれぞれ通信エリアとしてカバーする無線基地局３０１−１〜３０１−３と、無線基地局３０１−１〜３０１−３の上位装置であり、無線基地局３０１−１〜３０１−３を制御するための制御装置２０１とから構成されているシステムにおいて、セル１０２を通信エリアとしてカバーする無線基地局１０１が追加されている。無線基地局１０１もまた制御装置２０１と接続されている。また、無線基地局１０１がカバーするセル１０２と、無線基地局３０１−１〜３０１−３がそれぞれカバーするセル３０２−１〜３０２−３とは、重なった部分を有している。なお、図１に示した無線基地局１０１，３０１−１〜３０１−３は、一般的な無線通信機能を有する端末と無線通信を行うことにより接続される無線基地局である。
【００２６】
図２は、図１に示した制御装置２０１の構成の一例を示す図である。
【００２７】
図１に示した制御装置２０１には図２に示すように、信号受信部２１１と、無線基地局追加認識部２１２と、無線基地局管理部２１３と、記憶部２１４と、タイミング設定部２１５と、信号送信部２１６とが設けられている。
【００２８】
信号受信部２１１は、制御装置２０１と接続された無線基地局１０１，３０１−１〜３０１−３から送信された信号を受信する。
【００２９】
無線基地局追加認識部２１２は、制御装置２０１と接続される無線基地局に、新たに無線基地局が追加されたかどうかを認識する。
【００３０】
無線基地局管理部２１３は、無線基地局１０１，３０１−１〜３０１−３が、それぞれと接続された端末へ送信する信号である時分割複信フレーム（以下、ＴＤＤフレームと称する）を送信する送信タイミングや、端末から無線基地局１０１，３０１−１〜３０１−３へ送信される上り信号のトラフィックや、無線基地局１０１，３０１−１〜３０１−３から無線基地局１０１，３０１−１〜３０１−３それぞれと接続された端末へ送信される下り信号のトラフィックを管理する。これらの情報は記憶部２１４に記憶されており、記憶部２１４を管理することにより実現する。
【００３１】
記憶部２１４は、制御装置２０１と接続された無線基地局の様々な情報を記憶する。
【００３２】
図３は、図２に示した記憶部２１４の構成の一例を示す図である。
【００３３】
図２に示した記憶部２１４には図３に示すように、制御装置２０１と接続された無線基地局３０１−１〜３０１−３に予め付与された無線基地局識別情報と、それらの位置情報と、それらのサブフレーム比と、それらのＭＡＰ情報とが対応付けられて記憶されている。ここで、無線基地局識別情報とは、無線基地局３０１−１〜３０１−３を識別できる固有の情報であれば良い。また、位置情報は無線基地局３０１−１〜３０１−３が設置された位置が認識できる情報であれば良い。また、サブフレーム比とは、無線基地局３０１−１〜３０１−３と端末との間で送受信されるＴＤＤフレームのうち上り信号が格納されるサブフレーム（以下、上り信号サブフレームと称する）と下り信号が格納されるサブフレーム（以下、下り信号サブフレームと称する）との比率を示す。また、ＭＡＰ情報とは、それぞれのサブフレーム内の構造を示す情報である。例えば、下り信号サブフレーム内のどこまで下り信号が格納されているかを示す情報等である。ＭＡＰ情報は、ＴＤＤフレーム内では下り信号サブフレームの先頭に格納されるものである。サブフレーム比とＭＡＰ情報とにより、それぞれの無線基地局３０１−１〜３０１−３が扱うＴＤＤフレームのフレーム構造を認識することができる。また、他の情報についても無線基地局識別情報と対応付けて記憶するものであっても良い。
【００３４】
タイミング設定部２１５は、無線基地局管理部２１３にて管理されたタイミングに基づいて、無線基地局１０１，３０１−１〜３０１−３がそれぞれに接続される端末へ送信する信号の送信タイミングを設定する。
【００３５】
信号送信部２１６は、タイミング設定部２１５にて設定された送信タイミングを示す信号を無線基地局１０１，３０１−１〜３０１−３へ送信する。
【００３６】
なお、図２には、図１に示した制御装置２０１の構成要素のうち、本発明に関わる構成要素のみを示した。
【００３７】
以下に、図１に示した形態における図２に示した制御装置２０１にて行われる無線基地局制御方法について説明する。
【００３８】
図４は、図１に示した形態における図２に示した制御装置２０１にて行われる無線基地局制御方法を説明するためのフローチャートである。
【００３９】
まず、無線基地局１０１から制御装置２０１へ接続するための信号が信号受信部２１１にて受信されると（ステップＳ１）、当該信号に基づいて、無線基地局１０１が追加されたことが無線基地局追加認識部２１２にて認識される（ステップＳ２）。この無線基地局が追加されたことを制御装置２０１にて認識する方法は、一般的に用いられている方法で良い。新たに無線基地局が追加されたことが認識できれば良く、ここでは特に規定しない。例えば、制御装置２０１と接続されている無線基地局それぞれに固有に付与された無線基地局識別情報を記憶部２１４に記憶しておき、記憶部２１４に記憶されている無線基地局識別情報と異なる無線基地局識別情報を有する無線基地局から送信された信号を受信した場合、新たに無線基地局が追加されたと認識するものであっても良い。また、制御装置２０１から無線基地局を識別する４８ビットの「Ｂａｓｅ  Ｓｔａｔｉｏｎ  ＩＤ」の情報の一部を用いるものであっても良い。
【００４０】
無線基地局追加認識部２１２にて、無線基地局１０１が追加されたことが認識されると、無線基地局１０１から無線基地局１０１と接続される端末へ第１の時分割複信フレームであるＴＤＤフレームの送信を開始するタイミング（スタートタイミング）を設定する指示が無線基地局追加認識部２１２からタイミング設定部２１５へ出力される。
【００４１】
無線基地局追加認識部２１２からタイミング設定部２１５へスタートタイミングの設定が指示されると、タイミング設定部２１５にて当該スタートタイミングが設定される（ステップＳ３）。
【００４２】
このスタートタイミングの設定方法について、以下に説明する。
【００４３】
記憶部２１４に記憶されている無線基地局３０１−１〜３０１−３のサブフレーム比とＭＡＰ情報とに基づいて、無線基地局１０１から端末へ送信されるＴＤＤフレームのスタートタイミングが設定される。具体的には、無線基地局管理部２１３によって、記憶部２１４からサブフレーム比とＭＡＰ情報とが読み出される。読み出されたサブフレーム比とＭＡＰ情報とが、無線基地局管理部２１３からタイミング設定部２１５へ出力される。無線基地局管理部２１３から出力されたサブフレーム比とＭＡＰ情報とに基づいて、無線基地局３０１から送信される第２の時分割複信フレームであるＴＤＤフレームの構造が認識され、ＴＤＤフレームの下り信号サブフレーム内の下り信号（ユーザバースト信号）の位置が、タイミング設定部２１５にて認識される。そして、無線基地局３０１−１から送信されるＴＤＤフレームの下り信号サブフレーム内のユーザバースト信号の送信開始時刻から送信完了時刻との間の時間と、無線基地局１０１から送信されるＴＤＤフレームの下り信号サブフレーム内のユーザバースト信号の送信開始時刻から送信完了時刻との間の時間とが重ならないように、スタートタイミングが設定される。例えば、無線基地局３０１−１から送信されるＴＤＤフレームの下り信号サブフレーム内のユーザバースト信号の送信完了時刻にスタートタイミングが設定される。
【００４４】
なお、第１の時分割複信フレームを送受信するために用いる無線周波数帯と、第２の時分割複信フレームを送受信するために用いる無線周波数帯とは、同じ無線周波数帯である。
【００４５】
図５は、無線基地局１０１，３０１−１から送信されるＴＤＤフレームと、そのスタートタイミングとの一例を示す図である。ここでは、ＷｉＭＡＸシステムにおけるものを例に挙げて説明する。また、図５には、下り信号のトラフィックが多い場合を例に挙げて示す。
【００４６】
図５に示すように、無線基地局１０１，３０１−１から送信されるＴＤＤフレームには、端末の初期同期、伝送路決定、無線基地局１０１，３０１−１の識別（無線基地局識別情報）に用いられるＰｉｌｏｔ信号であるＰｒｅａｍｂｌｅ信号が先頭に存在している。また、Ｐｒｅａｍｂｌｅ信号に続いて、無線基地局１０１，３０１−１から端末へ送信される情報である下り信号が格納される下り信号サブフレームが存在する。さらに、下り信号サブフレームに続いて、端末から無線基地局１０１，３０１−１へ送信される上り信号が格納される上り信号サブフレームが存在する。また、上り信号サブフレームと下り信号サブフレームとの間に、無線基地局１０１，３０１−１と端末との間の伝搬遅延を吸収するためのＧａｐ時間であるＴＴＧが設けられている。また、同様のＧａｐ時間であるＲＴＧが上り信号サブフレームに続いて設けられている。
【００４７】
無線基地局１０１から端末へＴＤＤフレームの送信を開始するスタートタイミングは、図５に示すように、無線基地局３０１−１から送信されるＴＤＤフレームの下り信号サブフレーム内の下り信号（ユーザバースト信号）の送信完了時刻に設定される。このとき、下り信号のトラフィックが多いため、無線基地局１０１から送信される下り信号が、無線基地局３０１−１から送信される下り信号に影響を及ぼすおそれがある。そのため、図５に示すように、無線基地局１０１から送信される下り信号サブフレームの残りの部分には、ユーザバースト信号を割り当てずに、緩衝領域とする。つまり、無線基地局３０１−１から送信されるＴＤＤフレームのＰｒｅａｍｂｌｅ（先頭）と無線基地局１０１から送信される下り信号サブフレームの残り部分とが重ならないように、割り当てるユーザバースト信号がシンボルレベルで制限され、シンボルを割り当てない緩衝領域とされる。
【００４８】
図６は、無線基地局１０１，３０１−１から送信されるＴＤＤフレームと、そのスタートタイミングとの他の例を示す図である。また、図６には、下り信号のトラフィックが少ない場合を例に挙げて示す。無線基地局３０１−１から送信されるＴＤＤフレームの構成については、図５に示したものと同じである。
【００４９】
無線基地局１０１から端末へＴＤＤフレームの送信を開始するスタートタイミングは、図６に示すように、無線基地局３０１−１から送信されるＴＤＤフレームの下り信号サブフレーム内の下り信号（ユーザバースト信号）の送信完了時刻に設定される。このとき、下り信号のトラフィックが少ないため、図５に示したような無線基地局１０１から送信される下り信号が、無線基地局３０１−１から送信される下り信号に影響を及ぼす可能性は低い。そのため、無線基地局３０１−１から送信されるＴＤＤフレームの各サブフレーム長と同じ長さで運用する。
【００５０】
そして、上述したようにタイミング設定部２１５にて設定されたスタートタイミングを示す情報が、信号送信部２１６から無線基地局１０１へ送信される（ステップＳ４）。
【００５１】
また、上述した形態は、カバレッジを増やすために無線基地局１０１が追加された形態である。一方、システム容量を増やすために無線基地局１０１が追加された形態も考えられる。その形態について、以下に説明する。
【００５２】
図７は、本発明の無線基地局の実施の他の形態を示す図である。
【００５３】
本形態は図７に示すように、セル３０２−１を通信エリアとしてカバーする無線基地局３０１−１と、無線基地局３０１−１を制御するための制御装置２０１とから構成されているシステムにおいて、セル１０２を通信エリアとしてカバーする無線基地局１０１が追加されている。無線基地局１０１もまた制御装置２０１と接続されている。また、無線基地局１０１がカバーするセル１０２と、無線基地局３０１−１カバーするセル３０２−１とは、ほぼ同一のエリアとなっている。
【００５４】
図７に示すような形態をとることにより、セル１０２（セル３０２−１）内のシステム容量を実質的に増やすことができる。
【００５５】
なお、上述した制御装置２０１は、無線基地局１０１，３０１−１〜３０１−３を管理および制御する無線基地局１０１，３０１−１〜３０１−３の上位装置として説明したが、無線基地局１０１，３０１−１〜３０１−３の上位ネットワークに位置するシステム（スケジューリングシステム）・機能であっても良い。
【００５６】
また、上述した制御装置２０１の処理は、目的に応じて作製された論理回路で行うようにしても良い。また、処理内容を記述したプログラムを制御装置２０１にて読取可能な記録媒体に記録し、この記録媒体に記録されたプログラムを制御装置２０１に読み込ませ、実行するものであっても良い。制御装置２０１にて読取可能な記録媒体とは、フロッピーディスク（登録商標）、光磁気ディスク、ＤＶＤ、ＣＤなどの移設可能な記録媒体の他、制御装置２０１に内蔵されたＨＤＤ等を指す。この記録媒体に記録されたプログラムは、制御装置２０１内のＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【図面の簡単な説明】
【００５７】
【図１】本発明の制御装置の実施の一形態を示す図である。
【図２】図１に示した制御装置の構成の一例を示す図である。
【図３】図２に示した記憶部の構成の一例を示す図である。
【図４】図１に示した形態における図２に示した制御装置にて行われる無線基地局制御方法を説明するためのフローチャートである。
【図５】無線基地局から送信されるＴＤＤフレームと、そのスタートタイミングとの一例を示す図である。
【図６】無線基地局から送信されるＴＤＤフレームと、そのスタートタイミングとの他の例を示す図である。
【図７】本発明の無線基地局の実施の他の形態を示す図である。
【図８】干渉が生じるおそれがある無線基地局と端末との配置の一例を示す図である。
【図９】図８に示した配置において干渉するＴＤＤフレーム信号を示す図である。
【図１０】干渉が生じるおそれがある無線基地局と端末との配置の他の例を示す図である。
【図１１】図１０に示した配置において干渉するＴＤＤフレーム信号を示す図である。
【符号の説明】
【００５８】
１０１，３０１−１〜３０１−３    無線基地局
１０２，３０２−１〜３０２−３    セル
２０１    制御装置
２１１    信号受信部
２１２    無線基地局追加認識部
２１３    無線基地局管理部
２１４    記憶部
２１５    タイミング設定部
２１６    信号送信部
【図１】
2009239834.tif 000003
【図２】
2009239834.tif 000004
【図３】
2009239834.tif 000005
【図４】
2009239834.tif 000006
【図５】
2009239834.tif 000007
【図６】
2009239834.tif 000008
【図７】
2009239834.tif 000009
【図８】
2009239834.tif 000010
【図９】
2009239834.tif 000011
【図１０】
2009239834.tif 000012
【図１１】
2009239834.tif 000013
【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
無線通信機能を有する端末との間で、所定の無線周波数帯を用いて、第１の時分割複信フレームを送受信する第１の無線基地局と接続された制御装置であって、
前記無線周波数帯と同じ無線周波数帯を用いて、当該制御装置と接続された前記第１の無線基地局がカバーするセルの少なくとも一部をカバーする第２の無線基地局から送信される第２の時分割複信フレームのフレーム構造を管理する無線基地局管理部と、
前記第２の時分割複信フレームのフレーム構造に基づいて、前記第１の時分割複信フレームの送信の開始タイミングを、前記第２の時分割複信フレームに干渉しないタイミングに設定するタイミング設定部と、
前記開始タイミングを示す情報を前記第１の無線基地局へ送信する信号送信部とを有する制御装置。
【請求項２】
請求項１に記載の制御装置において、
前記タイミング設定部は、前記第２の時分割複信フレーム内の下り信号の送信完了時刻を前記開始タイミングに設定することを特徴とする制御装置。
【請求項３】
請求項１または請求項２に記載の制御装置において、
前記タイミング設定部は、前記第１の時分割複信フレーム内の下り信号を格納する下りサブフレームと前記第２の時分割複信フレームの先頭とが重なる部分に下り信号を割り当てない緩衝領域を設けることを特徴とする制御装置。
【請求項４】
無線通信機能を有する端末との間で、所定の無線周波数帯を用いて、第１の時分割複信フレームを送受信する第１の無線基地局を制御する無線基地局制御方法であって、
前記無線周波数帯と同じ無線周波数帯を用いて、前記第１の無線基地局がカバーするセルの少なくとも一部をカバーする第２の無線基地局から送信される第２の時分割複信フレームのフレーム構造を管理する処理と、
前記フレーム構造に基づいて、前記第１の時分割複信フレームの送信の開始タイミングを、前記第２の時分割複信フレームに干渉しないタイミングに設定する処理と、
前記開始タイミングを示す情報を前記第１の無線基地局へ送信する処理とを有する無線基地局制御方法。
【請求項５】
請求項４に記載の無線基地局制御方法において、
前記第２の時分割複信フレーム内の下り信号の送信完了時刻を前記開始タイミングに設定する処理を有することを特徴とする無線基地局制御方法。
【請求項６】
請求項４または請求項５に記載の無線基地局制御方法において、
前記第１の時分割複信フレーム内の下り信号を格納する下りサブフレームと前記第２の時分割複信フレームの先頭とが重なる部分に下り信号を割り当てない緩衝領域を設ける処理を有することを特徴とする無線基地局制御方法。
【請求項７】
無線通信機能を有する端末との間で、所定の無線周波数帯を用いて、第１の時分割複信フレームを送受信する第１の無線基地局と接続された制御装置に、
前記無線周波数帯と同じ無線周波数帯を用いて、当該制御装置と接続された前記第１の無線基地局がカバーするセルの少なくとも一部をカバーする第２の無線基地局から送信される第２の時分割複信フレームのフレーム構造を管理する手順と、
前記フレーム構造に基づいて、前記第１の時分割複信フレームの送信の開始タイミングを、前記第２の時分割複信フレームに干渉しないタイミングに設定する手順と、
前記開始タイミングを示す情報を前記第１の無線基地局へ送信する手順とを実行させるプログラム。
【請求項８】
請求項７に記載のプログラムにおいて、
前記第２の時分割複信フレーム内の下り信号の送信完了時刻を前記開始タイミングに設定する手順を実行させることを特徴とするプログラム。
【請求項９】
請求項７または請求項８に記載のプログラムにおいて、
前記第１の時分割複信フレーム内の下り信号を格納する下りサブフレームと前記第２の時分割複信フレームの先頭とが重なる部分に下り信号を割り当てない緩衝領域を設ける手順を実行させることを特徴とするプログラム。
【手続補正２】
【補正対象書類名】明細書
【補正対象項目名】００１９
【補正方法】変更
【補正の内容】
【００１９】
上記目的を達成するために本発明は、
無線通信機能を有する端末との間で、所定の無線周波数帯を用いて、第１の時分割複信フレームを送受信する第１の無線基地局と接続された制御装置であって、
前記無線周波数帯と同じ無線周波数帯を用いて、当該制御装置と接続された前記第１の無線基地局がカバーするセルの少なくとも一部をカバーする第２の無線基地局から送信される第２の時分割複信フレームのフレーム構造を管理する無線基地局管理部と、
前記第２の時分割複信フレームのフレーム構造に基づいて、前記第１の時分割複信フレームの送信の開始タイミングを、前記第２の時分割複信フレームに干渉しないタイミングに設定するタイミング設定部と、
前記開始タイミングを示す情報を前記第１の無線基地局へ送信する信号送信部とを有する。
【手続補正３】
【補正対象書類名】明細書
【補正対象項目名】００２０
【補正方法】変更
【補正の内容】
【００２０】
また、無線通信機能を有する端末との間で、所定の無線周波数帯を用いて、第１の時分割複信フレームを送受信する第１の無線基地局を制御する無線基地局制御方法であって、
前記無線周波数帯と同じ無線周波数帯を用いて、前記第１の無線基地局がカバーするセルの少なくとも一部をカバーする第２の無線基地局から送信される第２の時分割複信フレームのフレーム構造を管理する処理と、
前記フレーム構造に基づいて、前記第１の時分割複信フレームの送信の開始タイミングを、前記第２の時分割複信フレームに干渉しないタイミングに設定する処理と、
前記開始タイミングを示す情報を前記第１の無線基地局へ送信する処理とを有する。
【手続補正４】
【補正対象書類名】明細書
【補正対象項目名】００２１
【補正方法】変更
【補正の内容】
【００２１】
また、無線通信機能を有する端末との間で、所定の無線周波数帯を用いて、第１の時分割複信フレームを送受信する第１の無線基地局と接続された制御装置に実行させるプログラムであって、
前記無線周波数帯と同じ無線周波数帯を用いて、当該制御装置と接続された前記第１の無線基地局がカバーするセルの少なくとも一部をカバーする第２の無線基地局から送信される第２の時分割複信フレームのフレーム構造を管理する手順と、
前記フレーム構造に基づいて、前記第１の時分割複信フレームの送信の開始タイミングを、前記第２の時分割複信フレームに干渉しないタイミングに設定する手順と、
前記開始タイミングを示す情報を前記第１の無線基地局へ送信する手順とを実行させる。